(57)【要約】【課題】  小型な装置で安価に動物用癌治療誘導加熱方法及び動物用癌治療誘導加熱システムを提供すること。【解決手段】  動物の癌病巣部に多糖体と磁性体の複合体を投与し、誘導加熱装置１００の誘導コイル部１０１に装置本体１０２から交流を供給することで、磁界を発生させ、この磁界により、動物の癌病巣部に投与された加熱部材を誘導加熱することで、癌病巣部の癌細胞を死滅させる動物用癌治療誘導加熱システムを提供する。【選択図】    図１
2005137784.tif 000002
【特許請求の範囲】
【請求項１】
動物の癌病巣部に加熱剤を投与する投与過程と、
前記動物の体外に設置された誘導コイル部に交流電流を流し磁界を発生させることにより、前記加熱剤を誘導加熱して前記癌病巣部の癌細胞を死滅させる誘導加熱過程と、を備える動物用癌治療誘導加熱方法。
【請求項２】
前記投与過程において投与される前記加熱剤は、多糖体と磁性体との複合体であることを特徴とする請求項１に記載の動物用癌治療誘導加熱方法。
【請求項３】
前記誘導加熱過程において使用される前記誘導コイル部は、誘導コイルとコンデンサとを備え、前記コンデンサは、前記誘導コイルに対して直列に接続され、前記誘導コイルと共振するものであることを特徴とする請求項１又は２に記載の動物用癌治療誘導加熱方法。
【請求項４】
前記誘導加熱過程において用いられる前記誘導コイルは、その軸線と平行な方向に向かって延びるように巻かれたものであることを特徴とする請求項３に記載の動物用癌治療誘導加熱方法。
【請求項５】
前記誘導加熱過程において用いられる前記誘導コイルは、その軸線と垂直な平面方向に巻かれたものであることを特徴とする請求項３に記載の動物用癌治療誘導加熱方法。
【請求項６】
前記誘導加熱過程において前記誘導コイル部に流す前記交流の周波数は、１２９ｋＨｚ以上６０４ｋＨｚ以下であることを特徴とする請求項１乃至５の何れか一項に記載の動物用癌治療誘導加熱方法。
【請求項７】
前記誘導加熱過程において前記誘導コイル部により発生される磁界の磁束密度は２．６ｍＴ以上であることを特徴とする請求項１乃至６の何れか一項に記載の動物用癌治療誘導加熱方法。
【請求項８】
電源と、インバータと、トランスと、を備えた装置本体から前記誘導コイル部に交流電流を流すものであることを特徴とする請求項１乃至７の何れか一項に記載の動物用癌治療誘導加熱方法。
【請求項９】
前記誘導加熱過程において用いられる前記誘導コイル部と前記装置本体とは別個に形成されており、前記誘導コイル部と前記装置本体とは可撓性を有する電線により連結されていることを特徴とする請求項８に記載の動物用癌治療誘導加熱方法。
【請求項１０】
動物の癌病巣部に投与する加熱剤と、
誘導コイル部及び前記誘導コイル部に交流を提供する装置本体を有する誘導加熱装置と、を備え、
動物の癌病巣部に投与した前記加熱剤を前記誘導コイル部に交流を流して磁界を発生させることにより前記動物の体外から誘導加熱して前記癌病巣部の癌細胞を死滅させる動物用癌治療誘導加熱システム。
【請求項１１】
前記加熱剤は、多糖体と磁性体との複合体であることを特徴とする請求項１０に記載の動物用癌治療誘導加熱システム。
【請求項１２】
前記誘導コイル部は、誘導コイルとコンデンサとを備え、前記コンデンサは、前記誘導コイルに対して直列に接続され、前記誘導コイルと共振するものであることを特徴とする請求項１０又は１１に記載の動物用癌治療誘導加熱システム。
【請求項１３】
前記誘導コイルは、軸線と平行な方向に向かって延びるように巻かれたものであることを特徴とする請求項１２に記載の動物用癌治療誘導加熱システム。
【請求項１４】
前記誘導コイルは、軸線と垂直な平面方向に巻かれたものであることを特徴とする請求項１２に記載の動物用癌治療誘導加熱システム。
【請求項１５】
前記誘導コイル部に流す前記交流の周波数は、１２９ｋＨｚ以上６０４ｋＨｚ以下であることを特徴とする請求項１０乃至１４の何れか一項に記載の動物用癌治療誘導加熱システム。
【請求項１６】
前記誘導コイル部により発生される磁界の磁束密度は２．６ｍＴ以上であることを特徴とする請求項１０乃至１５の何れか一項に記載の動物用癌治療誘導加熱システム。
【請求項１７】
前記装置本体は、少なくとも、電源と、インバータと、トランスと、を備えたものであることを特徴とする請求項１０乃至１６の何れか一項に記載の動物用癌治療誘導加熱システム。
【請求項１８】
前記誘導コイル部と前記装置本体とは別個に形成されており、前記誘導コイル部と前記装置本体とは可撓性を有する電線により連結されていることを特徴とする請求項１０乃至１７の何れか一項に記載の動物用癌治療誘導加熱システム。
【請求項１９】
動物の癌病巣部に投与した前記加熱剤を前記動物の体外から誘導加熱して前記癌病巣部の癌細胞を死滅させる動物用癌治療誘導加熱システムで用いられる誘導加熱装置であって、
誘導コイル部と、前記誘導コイル部に交流を提供する装置本体と、を備える誘導加熱装置。
【請求項２０】
前記誘導コイル部は、誘導コイルとコンデンサとを備え、前記コンデンサは、前記誘導コイルに対して直列に接続され、前記誘導コイルと共振するものであることを特徴とする請求項１９に記載の誘導加熱装置。
【請求項２１】
前記誘導コイルは、軸線と平行な方向に延びるように巻かれたものであることを特徴とする請求項２０に記載の誘導加熱装置。
【請求項２２】
前記誘導コイルは、軸線と垂直な平面方向に巻かれたものであることを特徴とする請求項２０に記載の誘導加熱装置。
【請求項２３】
前記誘導コイル部に流す前記交流の周波数は、１２９ｋＨｚ以上６０４ｋＨｚ以下であることを特徴とする請求項１９乃至２２の何れか一項に記載の誘導加熱装置。
【請求項２４】
前記誘導コイル部により発生される磁界の磁束密度は２．６ｍＴ以上であることを特徴とする請求項１９乃至２３の何れか一項に記載の誘導加熱装置。
【請求項２５】
前記装置本体は、少なくとも、電源と、インバータと、トランスと、を備えたものであることを特徴とする請求項１９乃至２４の何れか一項に記載の誘導加熱装置。
【請求項２６】
前記誘導コイル部と前記装置本体とは別個に形成されており、前記誘導コイル部と前記装置本体とは可撓性を有する電線により連結されていることを特徴とする請求項１９乃至２５の何れか一項に記載の誘導加熱装置。
【発明の詳細な説明】
【技術分野】
【０００１】
本発明は、人間以外の動物に用いられる癌治療誘導加熱方法及び癌治療誘導加熱システムに関する。
【背景技術】
【０００２】
近年、ペットとして飼われる犬や猫といった動物の飼育環境が良くなったことや獣医学の進歩により、これらの動物の長寿化が進み、これらの動物の死因の内、癌によるものの割合が高くなっている。
【０００３】
しかしながら、獣医療の分野においては、医療機関及び飼育者の双方に費用がかかりすぎてしまうため、外科的手術等による大がかりな治療を行い得ないのが実情であり、癌にかかった動物に対して行う治療としては、制癌剤を投与するに留まっていた。
【０００４】
この点、人間の癌治療法の一つとして、癌細胞又は癌組織（以下、「癌病巣等」という場合がある。）が、正常細胞と比べて熱に弱いという性質があることを利用した温熱療法（ハイパーサーミア法）という治療方法がある。
【０００５】
この治療方法は、人体の癌病巣部に加熱剤を投与し、この加熱剤に人体の外部から誘導加熱装置により磁界をかけることにより加熱剤を発熱させて、癌細胞を死滅させるようにしたものであった（例えば、特許文献１参照）。
【特許文献１】特開平９−６４６号公報
【発明の開示】
【発明が解決しようとする課題】
【０００６】
しかしながら、従来の温熱療法（ハイパーサーミア法）で用いられている誘導加熱装置は、大型で大変高価なものであるため、一般的に人間よりも小型で、高額な治療費をかけることができないペット等の動物の癌治療に使うのは困難であった。
【０００７】
そこで、本発明は、小型な装置で安価に動物の癌を治療することのできる動物用癌治療誘導加熱方法及び動物用癌治療誘導加熱システムを提供することを目的とする。
【課題を解決するための手段】
【０００８】
以上の課題を解決するため、動物の癌病巣部に加熱剤を投与する投与過程と、前記動物の体外に設置された誘導コイル部に交流電流を流し磁界を発生させることにより、前記加熱剤を誘導加熱して前記癌病巣部の癌細胞を死滅させる誘導加熱過程と、を備える動物用癌治療誘導加熱方法を提供する。
【０００９】
このような方法により、動物の癌細胞を死滅させることで、犬や猫などのペット等の動物の癌を治療することが可能となる。
【００１０】
ここで、投与過程において投与される加熱剤としては、多糖体と磁性体との複合体、例えば、デキストランと磁性酸化鉄との複合体を使用することにより、生体内での安定性が良く、癌の病巣部に均等に分布させることができ、比較的低い磁界強度の下でも十分に発熱させることができる。
【００１１】
また、誘導加熱過程において使用される誘導コイル部としては、誘導コイルとコンデンサとを備え、このコンデンサが誘導コイルと直列に接続されて、誘導コイルと共振するものとすることで、負荷インピーダンスが最小となり、電流を最大限とすることができるようになる。
【００１２】
ここで、誘導加熱過程において用いられる誘導コイルは、その軸線と平行な方向に向かって延びるように巻かれたものを使用することもでき、また、その軸線と垂直な平面方向に巻かれたものを使用することもできる。
【００１３】
また、誘導加熱過程において誘導コイル部に流す交流の周波数を１２９ｋＨｚ以上６０４ｋＨｚ以下とすることにより、皮下組織や癌病巣部の周囲の組織を過度に加熱してしまうことがなくなる。
【００１４】
さらに、誘導加熱過程において誘導コイル部により発生される磁界の磁束密度は、２．６ｍＴ以上であることが望ましい。
【００１５】
ここで誘導コイル部には、電源と、インバータと、トランスと、を備えた装置本体から交流電流を提供することができる。
【００１６】
ここで、誘導加熱過程において用いられる誘導コイル部と装置本体とを別個に形成し、これらの誘導コイル部と装置本体とを可撓性を有する電線により連結することで、誘導コイル部を装置本体とは分離させて取り扱うことができ、便利である。
【００１７】
また、本発明は、動物の癌病巣部に投与する加熱剤と、誘導コイル部及び前記誘導コイル部に交流を提供する装置本体を有する誘導加熱装置と、を備え、動物の癌病巣部に投与した前記加熱剤を前記誘導コイルに交流を流して磁界を発生させることにより前記動物の体外から誘導加熱して前記癌病巣部の癌細胞を死滅させる動物用癌治療誘導加熱システムを提供する。
【００１８】
このようなシステムにより、動物の癌細胞を死滅させることで、犬や猫といったペット等の動物の癌の治療を安価に行うことが可能となる。
【００１９】
ここで、加熱剤としては、多糖体と磁性体との複合体、例えば、デキストランと磁性酸化鉄との複合体を使用することにより、生体内での安定性が良く、癌の病巣部に均等に分布させることができ、比較的低い磁界強度の下でも十分に発熱させることができる。
【００２０】
また、誘導コイル部としては、誘導コイルとコンデンサとを備え、このコンデンサが誘導コイルと直列に接続されて、誘導コイルと共振するものとすることで、負荷インピーダンスが最小となり、電流を最大限とすることができるようになる。
【００２１】
ここで、誘導コイルは、軸線と平行な方向に向かって延びるように巻かれたものを使用することもでき、また、軸線と垂直な平面方向に巻かれたものを使用することもできる。
【００２２】
また、誘導コイルに流す交流の周波数を１２９ｋＨｚ以上６０４ｋＨｚ以下とすることにより、皮下組織や癌病巣部の周囲の組織を過度に加熱してしまうことがなくなる。
【００２３】
なお、誘導コイル部により発生される磁界の磁束密度は、２．６ｍＴ以上であることが望ましい。
【００２４】
さらに、装置本体としては、少なくとも、電源と、インバータと、トランスと、を備えたものを使用することができる。
【００２５】
ここで、誘導コイル部と装置本体とは別個に形成し、これらの誘導コイル部と装置本体とを可撓性を有する電線により連結することで、誘導コイル部を装置本体とは分離させ、別個に取り扱うことができ、便利である。
【００２６】
また、本発明は、動物の癌病巣部に投与した前記加熱剤を前記動物の体外から誘導加熱して前記癌病巣部の癌細胞を死滅させる動物用癌治療誘導加熱システムで用いられる誘導加熱装置であって、誘導コイル部と、前記誘導コイル部に交流を提供する装置本体と、を備える誘導加熱装置を提供する。
【００２７】
このような誘導加熱装置により動物の癌病巣部に投与した加熱剤を加熱することにより、動物の癌の治療を安価に行うことができる。
【００２８】
また、誘導コイル部としては、誘導コイルとコンデンサとを備え、このコンデンサが誘導コイルと直列に接続されて、誘導コイルと共振するものとすることで、負荷インピーダンスが最小となり、電流を最大限とすることができるようになる。
【００２９】
ここで、誘導コイルは、軸線と平行な方向に向かって延びるように巻かれたものを使用することもでき、また、軸線と垂直な方向に巻かれたものを使用することもできる。
【００３０】
また、誘導コイルに流す交流の周波数を１２９ｋＨｚ以上６０４ｋＨｚ以下とすることにより、皮下組織や癌病巣部の周囲の組織を過度に加熱してしまうことがなくなる。
【００３１】
なお、誘導コイル部により発生される磁界の磁束密度は、２．６ｍＴ以上であることが望ましい。
【００３２】
さらに、装置本体としては、少なくとも、電源と、インバータと、トランスと、を備えたものを使用することができる。
【００３３】
ここで、誘導コイル部と装置本体とは別個に形成し、これらの誘導コイル部と装置本体とを可撓性を有する電線により連結することで、誘導コイル部を装置本体とは分離させて別個に取り扱うことができ、便利である。
【発明の効果】
【００３４】
以上のように、本発明によれば、小型な装置で安価に動物の癌を治療することのできる動物用癌治療誘導加熱方法及び動物用癌治療誘導加熱システムを提供することができる。
【発明を実施するための最良の形態】
【００３５】
図１は、本発明の一実施形態に係る動物用癌治療誘導加熱システムに用いられる誘導加熱装置１００の正面図である。
【００３６】
誘導加熱装置１００は、誘導コイル部１０１と、装置本体１０２と、誘導コイル部１０１と装置本体１０２とを連結する電線１０３と、により構成されている。
【００３７】
誘導コイル部１０１は、図２（誘導コイル部１０１の概略構成図）に表されているように、誘導コイル１０１ａとコンデンサ１０１ｂとにより構成されており、このコンデンサ１０１ｂは、誘導コイル１０１ａと直列に接続されて、誘導コイル１０１ａと共振するようにされている。
【００３８】
誘導コイル１０１ａは、図２に表されているように、軸線と平行な方向に向かって延びるように銅線を巻いたソレノイド型のものを使用している。
【００３９】
装置本体１０２には、その正面パネルに、電源スイッチ１０４が設けられており、電源スイッチ１０４をＯＮにすることにより、後述する電線１０３を介して誘導コイル部１０１に交流の電気を供給することができるようにされている。
【００４０】
誘導コイル部１０１に供給する電流値は電流メータ１０５により確認することができ、また、誘導コイル部１０１に供給する電力は電力メータ１０６により確認することができ、この電力については、ボリューム１０７により調節することができるようにされている。
【００４１】
装置本体１０２の内部構成の概略図を図４に表す。
【００４２】
装置本体１０２の内部には、電源１１０と、ノイズフィルター１１１と、整流器１１２と、昇圧コンバータ１１３と、降圧コンバータ１１４と、インバータ１１５と、トランス１１６と、制御部１１７と、により構成されている。
【００４３】
電源１１０は、交流２００Ｖ、周波数５０／６０Ｈｚの商用電源を用いており、小型の動物を治療するのであれば、１〜５ｋＷ程度の電力を供給することができるものであれば充分である。
【００４４】
ノイズフィルター１１１は、外部に高周波電流が漏れないようにするためのものであり、このような目的を果たすことができる範囲で適時選択して設置するが、必ずしも必要とされるものではない。
【００４５】
整流器１１２は、ブリッジ回路を用いて全ての波形を整流するが、これも波形を整えるためのものであり必ずしも必要とされるものではない。
【００４６】
昇圧コンバータ１１３と降圧コンバータ１１４は、ＰＷＭ（Ｐｕｌｓｅ  Ｗｉｄｔｈ  Ｍｏｄｕｌａｔｉｏｎ）方式のものを使用し、これらについても必ずしも必要とされるものではない。
【００４７】
インバータ１１５は、高速なスイッチングが可能な半導体スイッチング素子（本実施例では、ＭＯＳＦＥＴ）を有するものを使用し、誘導コイル１０１ａとコンデンサとを共振させる周波数の電気を誘導コイル部に供給する。
【００４８】
トランス１１６は、誘導コイル部１０１から生じる磁場が２．６ｍＴ以上となるように、電圧をコントロールする。
【００４９】
以上に記載した、電源１１０、昇圧コンバータ１１３、降圧コンバータ１１４、インバータ１１５及びトランス１１６については、制御部１１７により制御されている。
【００５０】
誘導コイル部１０１と装置本体１０２とを連結する電線１０３は、比較的可撓性が高く、断面積を十分に確保することができるＬＬＰ線（ＥＰゴム絶縁塩素化ポリエチレンシース電線）を用いている。
【００５１】
動物の体内に投与する加熱剤としては、多糖体と磁性体の複合体、例えば、デキストランと磁性酸化鉄との複合体を使用する。
【００５２】
デキストランを用いる場合は、特に、重量平均分子量が１０００〜１０００００、好ましくは４０００〜１００００の範囲内のものが、コロイド安定性や温度上昇効果等の点で好適である。
【００５３】
また、デキストランは未変性のものが使用可能であるが、例えば、アルカリ、ハロゲンまたは亜ハロゲン酸で処理することにより還元性末端を改質したデキストラン、あるいは、シアナイドイオンで処理後加水分解することにより還元性末端を改質したデキストランも使用することができる。
【００５４】
一方、上記多糖体と複合される磁性体は、誘導加熱により発熱する金属または金属化合物の磁性体のことであり、強磁性体及び超常磁性体が包含される。
【００５５】
磁性体として使用される金属としては、例えば、鉄、ニツケル、コバルト、ガドリニウム等の遷移金属が挙げられ、中でも鉄が好適である。
【００５６】
また、磁性体として使用される金属化合物としては、例えば、鉄、ニツケル、コバルト等の遷移金属の酸化物やフエライト等が挙げられ、特に四三酸化鉄及びγ−酸化鉄が好適である。
【００５７】
また、結合デキストランの一部を他の多糖類、又は、腫瘍親和性のある物質を結合した多糖類に置換することも可能である。例えば、β−１，３−グルカンを一部導入したり、抗体又はフラグメントａｂを導入したりすることも可能であり、これらは、腫瘍免疫誘導、腫瘍細胞へのターゲッティングに有用である。
【００５８】
以上述べた多糖体と磁性体との複合体は、金属磁性体または金属化合物磁性体の水性ゾルに、例えば、デキストラン又はその水溶液を添加し、中性ないし弱酸性条件下に約９０゜Ｃないし還流温度間の温度で約３０〜約１２０分間加熱することにより複合することができる。
【００５９】
また、デキストラン、好ましくはアルカリ処理した改質デキストランの存在下に水性媒体中で金属化合物磁性体、例えば磁性酸化鉄を製造し、次いで中性ないし弱酸性条件下に約９０゜Ｃないし還流温度間の温度で約３０〜約１２０分間加熱することにより行うことによっても複合体を製造することができる。
【００６０】
以上に述べたようにして調製される多糖体と磁性体との複合体は、動物の体内に投与するのに適した形状に調製される。
【００６１】
そして、その投与の方法としては、一般に、静脈内、腫瘍組織内、動脈内、膀胱内等への注射、注入（点滴）が用いられるが、処置すべき疾患によっては経口投与、直腸内投与等の方法で投与することもできる。
【００６２】
そして、注射、注入による投与においては、例えば、注射用蒸留水または生理食塩水に通常１〜６０％（ｗ／ｖ）、好ましくは５〜２０％（ｗ／ｖ）の濃度で溶解させることができる。
【００６３】
また、添加剤として、例えば塩化ナトリウム等の無機塩；ブドウ糖等の単糖類；マンニトール、ソルビトール等の糖アルコール類；クエン酸塩、酒石酸塩等の有機酸塩；リン酸緩衝剤、トリス緩衝剤等の生理学的に許容される種々の助剤を適宜配合してもよい。
【００６４】
一方、経口投与、直腸投与に対しては、適当な製薬助剤と共に、デキストランマグネタイトを含む錠剤、顆粒剤、カプセル剤、シロツプ、散剤、坐剤等の形態に製剤化することができる。
【００６５】
以上のように構成される動物用癌治療誘導加熱システムは、以下のようにして使用される。
【００６６】
多糖体と磁性体との複合体を動物の癌病巣部に直接注入するか、医学的に有用な手法、例えば、血管カテーテルを用いる方法、あるいは、動脈又は静脈内への投与によって腫瘍部分へ到達せしめる。
【００６７】
そして、誘導加熱装置１００のスイッチ１０４をＯＮすることにより、誘導加熱装置１００を作動させる。
【００６８】
そして、装置本体１０２から電線１０３を介して誘導コイル部１０１に交流電流が流され、誘導コイル１０１ａの中心軸を磁束の中心とする交流磁界が誘導コイル部１０１に発生する。
【００６９】
このような交流磁界を動物の体内に投与した多糖体と磁性体との複合体にあてることにより、この複合体を加熱することができるようになる。
【００７０】
ここで、癌病巣が腕や指等の表層癌である場合は、誘導コイル１０１ａの中にそれらの部位を挿入することで誘導加熱を行うことができ、また、治療する癌病巣が誘導コイル１０１ａの中に挿入できない部位にある場合は、誘導コイル１０１ａを動物の体外からそのような部位にかざすことで誘導加熱を行うことができるようになる。
【００７１】
なお、本実施形態においては、図２に表されているようなソレノイド型の誘導コイル１０１ａを使用したが、この代わりに、図３（誘導コイル１０１ｃの上方斜視図）に表されているようなパン型の誘導コイル１０１ｃを用いることができる。
【００７２】
図３に表されているように、パン型の誘導コイル１０１ｃは、軸線に対して垂直に交わる平面方向に銅線を巻くことにより形成されたものである。
【実施例】
【００７３】
以上に記載した実施形態において説明した誘導加熱装置１００を用いた各実験例を以下に示す。
【００７４】
まず、以下に行う実験において、動物の体内に投与された多糖体と磁性体との複合体を実際に加熱する場合と同等の結果を得るために、動物の体の代わりとなる擬似生体（寒天ファントム）をその複合体と誘導コイル１０１ａとの間に介在させる必要があるか否かを確かめるため、次の実験例１〜実験例４を行った。
【００７５】
［実験例１］誘導コイル１０１ａに対する相対位置を示す座標として、誘導コイル１０１ａの中心軸方向をＺ、この中心軸方向と直交する誘導コイル１０１ａの半径方向をＸ、これらＸ，Ｚの両方向と直交する誘導コイル１０１ａの半径方向をＹとし、Ｘ、Ｙ、Ｚ軸の交点は、誘導コイル１０１ａの中心軸上であって、誘導コイル１０１ａの一端に位置するものとする。
【００７６】
なお、以下の説明において、座標（Ｘ，Ｙ，Ｚ）の値の単位は全てｍｍであり、Ｘ、Ｙ、Ｚ、の座標値については、誘導コイル１０１ａの外側に向かう方向を正方向とする。
【００７７】
そして、誘導コイル１０１ａの内部を筒状の寒天ファントムで埋め、この寒天ファントム内であって座標値（Ｘ，Ｙ，Ｚ）＝（０，０，０）の位置に、多糖体としてデキストランを用い、磁性体として磁性酸化鉄を用いて作製した複合体（以下、デキストランマグネタイト）をバルーンに充填したもの（濃度＝２８Ｆｅ  ｍｇ／ｍＬ）を挿入して、誘導コイル１０１ａとコンデンサとの共振周波数ｆがｆ＝２９９ｋＨｚ、誘導コイル１０１ａに発生する磁束密度ＢがＢ＝５．２ｍＴである誘導加熱装置１００を用い、デキストランマグネタイトを誘導加熱させた。
【００７８】
その結果、誘導加熱時間におけるデキストランマグネタイトの温度は、図５のグラフにおける実線で示す内容であった。
【００７９】
［実験例２］実験例１で使用した装置において、誘導コイル１０１ａの内部から寒天ファントムを除去し、その他の条件を実験例１と全く同じにした上で、デキストランマグネタイトを誘導加熱させた結果は、図５のグラフにおける点線で示す内容であった。
【００８０】
［実験例３］誘導コイル１０１ａとコンデンサとの共振周波数ｆがｆ＝４１８ｋＨｚである誘導加熱装置１００を用い、その他の条件を実験例１と全く同じにして、デキストランマグネタイトを誘導加熱させた結果得られた誘導加熱時間におけるデキストランマグネタイトの温度は、図６のグラフにおける実線で示す内容であった。
【００８１】
［実験例４］実験例３で使用した装置において、誘導コイル１０１ａの内部から寒天ファントムを除去し、その他の条件を実験例３と全く同じにして、デキストランマグネタイトを誘導加熱させた結果得られた誘導加熱時間におけるデキストランマグネタイトの温度は、図６のグラフにおける点線で示す内容であった。
【００８２】
以上のとおり、実験例１と実験例２とでは概ね同様の結果が得られ、また、共振周波数ｆを変えて行った実験例３と実験例４とでも、概ね同様の結果が得られたことから、以下の実験において、デキストランマグネタイトと誘導コイル１０１ａとの間に擬似生体（寒天ファントム）を介在させる必要がないことが確認されたものと考えられる。
【００８３】
次に、誘導コイル１０１ａに対するデキストランマグネタイトの位置関係が、デキストランマグネタイトの温度特性に如何なる影響を及ぼすかを確認するために、次の実験例５〜実験例８を行った。
【００８４】
［実験例５］バルーンに充填したデキストランマグネタイトを、座標値（Ｘ，Ｙ，Ｚ）＝（０，１５，０）に配置し、その他の条件を実験例２と全く同じにした上で、デキストランマグネタイトを誘導加熱させた結果得られた誘導加熱時間におけるデキストランマグネタイトの温度特性は、図７のグラフにおける短い点線で示す内容であった。
【００８５】
［実験例６］バルーンに充填したデキストランマグネタイトを、座標値（Ｘ，Ｙ，Ｚ）＝（０，３０，０）に配置し、その他の条件を実験例２と全く同じにした上で、デキストランマグネタイトを誘導加熱させた結果得られた誘導加熱時間におけるデキストランマグネタイトの温度特性は、図７のグラフにおける長い点線で示す内容であった。
【００８６】
なお、図７のグラフにおける実線は、実験例２により得られた誘導加熱時間におけるデキストランマグネタイトの温度特性である。
【００８７】
ここで、以上の実験例５や実験例６では、実験例２におけるデキストランマグネタイトの位置をＹ軸方向にのみ変えたが、誘導コイル１０１ａの半径方向である点ではＹ軸とＸ軸は同じであることから、Ｘ軸方向におけるデキストランマグネタイトの位置のみを変えても、実験例５や実験例６と同様の結果が得られるものと思われる。
【００８８】
したがって、以上の実験例２、実験例５、及び、実験例６の結果から、誘導コイル１０１ａの半径方向においてデキストランマグネタイトの位置が変わっても、誘導コイル１０１ａの中心軸から０〜３０ｍｍの範囲内においてはデキストランマグネタイトの温度特性にはほとんど影響がないことが判った。
【００８９】
［実験例７］バルーンに充填したデキストランマグネタイトの配置を、座標値（Ｘ，Ｙ，Ｚ）＝（０，０，３０）の位置とし、その他の条件を実験例４と全く同じにした上で、デキストランマグネタイトを誘導加熱させた結果得られた対誘導加熱時間のデキストランマグネタイトの温度上昇特性は、図８のグラフにおける短い点線で示す内容であった。
【００９０】
［実験例８］バルーンに充填したデキストランマグネタイトの配置を、座標値（Ｘ，Ｙ，Ｚ）＝（０，０，４５）の箇所とし、その他の条件を実験例４やと全く同じにした上で、デキストランマグネタイトを誘導加熱させた結果得られた対誘導加熱時間のデキストランマグネタイトの温度上昇特性は、図８のグラフにおける長い点線で示す内容であった。
【００９１】
なお、図８のグラフにおける実線は、実験例４により得られた誘導加熱時間におけるデキストランマグネタイトの温度特性である。
【００９２】
以上の実験例４、実験例７、及び、実験例８の結果から、誘導コイル１０１ａの中心軸方向においてデキストランマグネタイトの位置が変わると、誘導コイル１０１ａから離れれば離れるほど、デキストランマグネタイトの温度上昇特性が相対的に低下することが判った。
【００９３】
但し、少なくとも座標値（Ｘ，Ｙ，Ｚ）＝（０，０，０）〜（０，０，４５）の範囲では、誘導加熱によりデキストランマグネタイトを加熱することができるものと考えられる。
【００９４】
次に、誘導コイル１０１ａに発生する磁束密度が、デキストランマグネタイトの温度特性に如何なる影響を及ぼすかを確認するために、次の実験例９〜実験例１４を行った。
【００９５】
［実験例９］誘導コイル１０１ａに発生する磁束密度ＢをＢ＝１．３ｍＴとし、その他の条件を実験例２と全く同じにした上で、デキストランマグネタイトを誘導加熱させた結果得られた誘導加熱時間におけるデキストランマグネタイトの温度特性は、図９のグラフにおける短い点線で示す内容であった。
【００９６】
［実験例１０］誘導コイル１０１ａに発生する磁束密度ＢをＢ＝２．６ｍＴとし、その他の条件を実験例２と全く同じにした上で、デキストランマグネタイトを誘導加熱させた結果得られた誘導加熱時間におけるデキストランマグネタイトの温度特性は、図９のグラフにおける長い点線で示す内容であった。
【００９７】
［実験例１１］誘導コイル１０１ａに発生する磁束密度ＢをＢ＝３．９ｍＴとし、その他の条件を実験例２と全く同じにした上で、デキストランマグネタイトを誘導加熱させた結果得られた誘導加熱時間におけるデキストランマグネタイトの温度特性は、図９のグラフにおける一点鎖線で示す内容であった。
【００９８】
なお、図９のグラフにおける実線は、実験例２により得られた誘導加熱時間におけるデキストランマグネタイトの温度特性である。
【００９９】
［実験例１２］誘導コイル１０１ａに発生する磁束密度ＢをＢ＝１．３ｍＴとし、その他の条件を実験例４と全く同じにした上で、デキストランマグネタイトを誘導加熱させた結果得られた誘導加熱時間におけるデキストランマグネタイトの温度特性は、図１０のグラフにおける短い点線で示す内容であった。
【０１００】
［実験例１３］誘導コイル１０１ａに発生する磁束密度ＢをＢ＝２．６ｍＴとし、その他の条件を実験例４と全く同じにした上で、デキストランマグネタイトを誘導加熱させた結果得られた誘導加熱時間におけるデキストランマグネタイトの温度特性は、図１０のグラフにおける長い点線で示す内容であった。
【０１０１】
［実験例１４］誘導コイル１０１ａに発生する磁束密度ＢをＢ＝３．９ｍＴとし、その他の条件を実験例４と全く同じにした上で、デキストランマグネタイトを誘導加熱させた結果得られた誘導加熱時間におけるデキストランマグネタイトの温度特性は、図１０のグラフにおける一点鎖線で示す内容であった。
【０１０２】
なお、図１０のグラフにおける実線は、実験例４により得られた誘導加熱時間におけるデキストランマグネタイトの温度特性である。
【０１０３】
以上の実験例２、実験例４、及び、実験例９〜実験例１４の結果から、コンデンサと誘導コイル１０１ａの共振周波数ｆに拘わらず、誘導コイル１０１ａに発生する磁場強度Ｂが変わると、磁場強度Ｂが低ければ低いほど、デキストランマグネタイトの温度上昇の傾きが相対的に低下することが判った。
【０１０４】
但し、少なくとも磁場強度ＢをＢ＝１．３ｍＴとした場合を除けば、デキストランマグネタイトが温度上昇する傾向が明らかに見られることから、誘導コイル１０１ａに発生する磁場強度Ｂが変わっても、少なくとも磁場強度ＢがＢ＝２．６ｍＴ以上であれば、共振周波数ｆに拘わらずデキストランマグネタイトは誘導加熱されることが判った。
【０１０５】
次に、コンデンサと誘導コイル１０１ａの共振周波数ｆが、デキストランマグネタイトの温度上昇特性に如何なる影響を及ぼすかを確認するために、次の実験例１５〜実験例１７を行った。
【０１０６】
［実験例１５］共振周波数ｆがｆ＝１２９ｋＨｚである誘導加熱装置１００を用い、その他の条件を実験例１や実験例３と全く同じにした上で、デキストランマグネタイトを誘導加熱させた結果得られた誘導加熱時間におけるデキストランマグネタイトの温度特性は、図１１のグラフにおける実線で示す内容であった。
【０１０７】
［実験例１６］共振周波数ｆがｆ＝５１１ｋＨｚである誘導加熱装置１００を用い、その他の条件を実験例１や実験例３と全く同じにした上で、デキストランマグネタイトを誘導加熱させた結果得られた誘導加熱時間におけるデキストランマグネタイトの温度特性は、図１１のグラフにおける一点鎖線で示す内容であった。
【０１０８】
［実験例１７］共振周波数ｆがｆ＝６０４ｋＨｚである誘導加熱装置１００を用い、その他の条件を実験例１及び実験例３と全く同じにした上で、デキストランマグネタイトを誘導加熱させた結果得られた誘導加熱時間におけるデキストランマグネタイトの温度特性は、図１１のグラフにおける二点鎖線で示す内容であった。
【０１０９】
なお、図１１のグラフにおける短い点線は、実験例１により得られた誘導加熱時間におけるデキストランマグネタイトの温度特性であり、また、図１１のグラフにおける長い点線は、実験例３により得られた誘導加熱時間におけるデキストランマグネタイトの温度特性である。
【０１１０】
以上の実験例１、実験例３、及び、実験例１５〜実験例１７の結果から、共振周波数ｆが変わると、共振周波数ｆが低ければ低いほど、デキストランマグネタイトの温度上昇の傾きが相対的に低下することが判った。
【０１１１】
但し、少なくとも共振周波数ｆがｆ＝１２９〜６０４ｋＨｚの範囲では、デキストランマグネタイトの温度が上昇することが判った。
【０１１２】
次に、誘導コイル１０１ａの形状が、デキストランマグネタイトの温度上昇特性に如何なる影響を及ぼすかを確認するために、次の実験例１８〜実験例２５を行った。
【０１１３】
尚、次の実験例１８〜実験例２５では、図３に示すパン型の誘導コイル１０１ｃを用いた。
【０１１４】
［実験例１８］誘導コイル１０１ａをパン型の誘導コイル１０１ｃに変えて、座標値（Ｘ，Ｙ，Ｚ）＝（０，０，１５）の位置に、バルーンに充填したデキストランマグネタイト（濃度＝２８Ｆｅ ｍｇ／ｍＬ）を配置し、コンデンサと誘導コイル１０１ｃの共振周波数ｆがｆ＝２６６ｋＨｚ、誘導コイル１０１ｃに発生する磁束密度ＢがＢ＝５．２ｍＴである誘導加熱装置１００を用いて、デキストランマグネタイトを誘導加熱させた。
【０１１５】
その結果得られた誘導加熱時間におけるデキストランマグネタイトの温度特性は、図１２のグラフにおける実線で示す内容であった。
【０１１６】
［実験例１９］バルーンに充填したデキストランマグネタイトの配置を、座標値（Ｘ，Ｙ，Ｚ）＝（０，０，３０）の位置とし、その他の条件を実験例１８と全く同じにした上で、デキストランマグネタイトを誘導加熱させた結果得られた誘導加熱時間におけるデキストランマグネタイトの温度特性は、図１２のグラフにおける短い点線で示す内容であった。
【０１１７】
［実験例２０］バルーンに充填したデキストランマグネタイトの配置を、座標値（Ｘ，Ｙ，Ｚ）＝（０，０，４５）の位置とし、その他の条件を実験例１８と全く同じにした上で、デキストランマグネタイトを誘導加熱させた結果得られた誘導加熱時間におけるデキストランマグネタイトの温度特性は、図１２のグラフにおける長い点線で示す内容であった。
【０１１８】
［実験例２１］バルーンに充填したデキストランマグネタイトの配置を、座標値（Ｘ，Ｙ，Ｚ）＝（０，０，６０）の位置とし、その他の条件を実験例１８と全く同じにした上で、デキストランマグネタイトを誘導加熱させた結果得られた誘導加熱時間におけるデキストランマグネタイトの温度特性は、図１２のグラフにおける一点鎖線で示す内容であった。
【０１１９】
以上の実験例１８〜２１の結果から、誘導コイル１０１ｃの中心軸方向においてデキストランマグネタイトの位置が変わると、誘導コイル１０１ｃから離れれば離れるほど、デキストランマグネタイトの温度上昇の傾きが相対的に低下することが判った。
【０１２０】
但し、少なくとも座標値（Ｘ，Ｙ，Ｚ）＝（０，０，１５）〜（０，０，６０）の範囲では、デキストランマグネタイトを加熱することができることが判った。
【０１２１】
［実験例２２］誘導コイル１０１ａをパン型の誘導コイル１０１ｃに変えて、座標値（Ｘ，Ｙ，Ｚ）＝（０，０，１５）の箇所に、バルーンに充填したデキストランマグネタイト（濃度＝２８Ｆｅ ｍｇ／ｍＬ）を配置し、コンデンサと誘導コイル１０１ｃの共振周波数ｆがｆ＝３７８ｋＨｚ、誘導コイル１０１ｃに発生する磁束密度ＢがＢ＝５．２ｍＴである誘導加熱装置１００を用いて、デキストランマグネタイトを誘導加熱させた。
【０１２２】
その結果得られた誘導加熱時間におけるデキストランマグネタイトの温度特性は、図１３のグラフにおける実線で示す内容であった。
【０１２３】
［実験例２３］バルーンに充填したデキストランマグネタイトの配置を、座標値（Ｘ，Ｙ，Ｚ）＝（０，１５，１５）の箇所とし、その他の条件を実験例２２と全く同じにした上で、デキストランマグネタイトを誘導加熱させた結果得られた誘導加熱時間におけるデキストランマグネタイトの温度特性は、図１３のグラフにおける短い点線で示す内容であった。
【０１２４】
［実験例２４］バルーンに充填したデキストランマグネタイトの配置を、座標値（Ｘ，Ｙ，Ｚ）＝（０，３０，１５）の箇所とし、その他の条件を実験例２２と全く同じにした上で、デキストランマグネタイトを誘導加熱させた結果得られた誘導加熱時間におけるデキストランマグネタイトの温度特性は、図１３のグラフにおける長い点線で示す内容であった。
【０１２５】
［実験例２５］バルーンに充填したデキストランマグネタイトの配置を、座標値（Ｘ，Ｙ，Ｚ）＝（０，４５，１５）の箇所とし、その他の条件を実験例２２と全く同じにした上で、デキストランマグネタイトを誘導加熱させた結果得られた誘導加熱時間におけるデキストランマグネタイトの温度特性は、図１３のグラフにおける一点鎖線で示す内容であった。
【０１２６】
なお、以上の実験例２２〜２５では、Ｙ軸方向におけるデキストランマグネタイトの位置のみを変化させたが、誘導コイル１０１ｃの半径方向である点ではＹ軸とＸ軸とは同じであることから、Ｘ軸方向におけるデキストランマグネタイトの位置のみを変化させても、実験例２２〜２５と同様の結果が得られるものと思われる。
【０１２７】
したがって、以上の実験例２２〜２５の結果から、誘導コイル１０１ｃの半径方向においてデキストランマグネタイトの位置が変わると、誘導コイル１０１ｃの中心軸上から離れれば離れるほど、デキストランマグネタイトの温度上昇特性が相対的には低下することが判った。
【０１２８】
但し、少なくとも座標値（Ｘ，Ｙ，Ｚ）＝（０，０，１５）〜（０，４５，１５）の範囲では、デキストランマグネタイトを加熱することができることが判った。
【０１２９】
なお、図１４に、以上の実験例で用いた、図２に示すソレノイド型の誘導コイル１０１ａの、共振周波数ｆ毎に異なる詳細なスペックを示し、同様に、図１５に、図２に示すソレノイド型の誘導コイル１０１ａを有する誘導加熱装置１００の、共振周波数ｆ毎に異なる詳細なスペックを示す。
【０１３０】
また、図１６に、以上の実験例で用いた、図１１に示すパン型の誘導コイル１０１ｃの、共振周波数ｆがｆ＝３７８ｋＨｚである場合の詳細なスペックを示し、同様に、図１７に、図１１に示すパン型の誘導コイル１０１ｃを有する誘導加熱装置１００の詳細なスペックを示す。
【０１３１】
なお、これら図１４乃至図１７の各図において示した数値は、いずれも、実効値である。
【図面の簡単な説明】
【０１３２】
【図１】一実施形態に係る動物用癌治療誘導加熱システムに用いられる誘導加熱装置１００の正面図。
【図２】誘導コイル部１０１の概略構成図。
【図３】誘導コイル１０１ｃの上方斜視図。
【図４】装置本体１０２の内部構成の概略図。
【図５】実験例１及び２の誘導加熱時間におけるデキストランマグネタイトの温度を表すグラフ。
【図６】実験例３及び４の誘導加熱時間におけるデキストランマグネタイトの温度を表すグラフ。
【図７】実験例５及び６の誘導加熱時間におけるデキストランマグネタイトの温度を表すグラフ。
【図８】実験例７及び８の誘導加熱時間におけるデキストランマグネタイトの温度を表すグラフ。
【図９】実験例９、１０及び１１の誘導加熱時間におけるデキストランマグネタイトの温度を表すグラフ。
【図１０】実験例１２、１３及び１４の誘導加熱時間におけるデキストランマグネタイトの温度を表すグラフ。
【図１１】実験例１５、１６及び１７の誘導加熱時間におけるデキストランマグネタイトの温度を表すグラフ。
【図１２】実験例１８、１９、２０及び２１の誘導加熱時間におけるデキストランマグネタイトの温度を表すグラフ。
【図１３】実験例２２、２３、２４及び２５の誘導加熱時間におけるデキストランマグネタイトの温度を表すグラフ。
【図１４】誘導コイル１０１ａの詳細なスペックを示す説明図。
【図１５】誘導加熱装置１００の詳細なスペックを示す説明図。
【図１６】誘導コイル１０１ｃの詳細なスペックを示す説明図。
【図１７】誘導加熱装置１００の詳細なスペックを示す説明図。
【符号の説明】
【０１３３】
１００  誘導加熱装置
１０１  誘導コイル部
１０２  装置本体
１０３  電線
１１０  電源
１１１  ノイズフィルタ
１１２  整流器
１１３  昇圧コンバータ
１１４  降圧コンバータ
１１５  インバータ
１１６  トランス
１１７  制御部
【図１】
2005137784.tif 000003
【図２】
2005137784.tif 000004
【図３】
2005137784.tif 000005
【図４】
2005137784.tif 000006
【図５】
2005137784.tif 000007
【図６】
2005137784.tif 000008
【図７】
2005137784.tif 000009
【図８】
2005137784.tif 000010
【図９】
2005137784.tif 000011
【図１０】
2005137784.tif 000012
【図１１】
2005137784.tif 000013
【図１２】
2005137784.tif 000014
【図１３】
2005137784.tif 000015
【図１４】
2005137784.tif 000016
【図１５】
2005137784.tif 000017
【図１６】
2005137784.tif 000018
【図１７】
2005137784.tif 000019